(57)【要約】【課題】  従来の模型飛行機用スタンドとしては、一端が基台に固定され他端が模型飛行機に巻き付けられている支持部材によって模型飛行機を支持する構造であるため、模型飛行機の胴体部分には巻き付けられた支持部材が存在するため、展示される模型飛行機の外観が著しく損なわれるという問題点があった。【解決手段】基台２と、該基台２に形成されたガイド部２１に挿入される鍔部３１a を有する台部３１、該台部３１の上面から起立したアーム部３２、該アーム部３２の上端に形成された係合部３３からなるスタンド３と、該スタンド３の前記係合部３３に着脱自在に取付けられる係合部４１が裏面に形成された模型飛行機P の胴体と略同じ湾曲形状に形成されたホルダ４とから構成したものである。【選択図】  図１
2008183080.tif 000002
【特許請求の範囲】
【請求項１】
基台と、
該基台に形成されたガイド部に挿入される鍔部を有する台部、該台部の上面から起立したアーム部、該アーム部の上端に形成された係合部からなるスタンドと、
該スタンドの前記係合部に着脱自在に取付けられる係合部が裏面に形成された模型飛行機の胴体と略同じ湾曲形状に形成されたホルダと、
から構成し、前記基台のガイド部に前記スタンドの台部を挿入取付け、該スタンドの係合部に前記ホルダの係合部を係合した状態において、該ホルダ上に模型飛行機の主翼位置の胴体部分を載置することで展示可能としたことを特徴とする模型飛行機用スタンド。
【請求項２】
前記スタンドの台部裏面は平坦面に形成され、かつ、アーム部の上端は台部から外れた位置となるように変形され、また、前記ホルダの裏面に形成されている係合部は長手方向の一端に形成され、前記スタンドの係合部とホルダの係合部との係合状態においてスタンドとホルダとが重なるようにすることで、ホルダ上に模型飛行機の主翼位置の胴体部分を載置することでスタンドのみで展示可能としたことを特徴とする請求項１記載の模型飛行機用スタンド。
【請求項３】
前記基台には模型飛行機の電池に充電するための充電用電池が収納され、かつ、模型飛行機の電池に接続するための端子が設けられていることを特徴とする請求項１記載の模型飛行機用スタンド。
【発明の詳細な説明】
【技術分野】
【０００１】
本発明は、模型飛行機を飛行させない時に飾るための模型飛行機用スタンドに関する。
【背景技術】
【０００２】
従来の模型飛行機を室内に置いておく手段としては、紐を利用して天井から吊るして保管する方法が一般的であったが、紐が切断されたような場合には模型飛行機が破損してしまうことがあり、また、体裁が悪いといった問題があった。そこで、模型飛行機を卓上や棚に飾るためのスタンドが開発されている。その一例として、例えば、特開２００４−１８１１３８号公報に開示されている発明がある。その内容は、基台と、可撓性のワイヤー状の素材からなる支持部材とからなり、支持部材は、下端が基台に固定され、上端を模型飛行機の胴体部後方に巻き付けられたものである。
【０００３】
そして、このスタンドにあっては、模型飛行機に何らの取付構造を付加することなくスタンドに取付けることが可能となり、従って、どのような形状の模型飛行機であっても支持することができるという利点があった。
【特許文献１】特開２００４−１８１１３８号公報
【発明の開示】
【発明が解決しようとする課題】
【０００４】
しかしながら、この模型飛行機用スタンドの支持部材は、一端を基台に固定し、他端を模型飛行機に巻き付けることで模型飛行機を支持する構造であるため、模型飛行機の胴体部分には巻き付けられた支持部材が存在するため、展示される模型飛行機の外観が著しく損なわれるという問題点があり、また、モータを駆動源とする模型飛行機の電池は充電式のものが一般的に用いられるが、充電用電池は模型から取り外し、別途充電器にて充電する必要があるといった問題があった。
【０００５】
本発明は前記した問題点を解決せんとするもので、その目的とするところは、模型飛行機に支持部材を巻き付けて支持することがなく、展示される模型飛行機の外観を損なうことがなく、また、模型飛行機の電池を充電することができる充電機能を有する模型飛行機用スタンドを提供せんとするにある。
【課題を解決するための手段】
【０００６】
本発明の模型飛行機用スタンドは前記した目的を達成せんとするもので、請求項１の手段は、基台と、該基台に形成されたガイド部に挿入される鍔部を有する台部、該台部の上面から起立したアーム部、該アーム部の上端に形成された係合部からなるスタンドと、該スタンドの前記係合部に着脱自在に取付けられる係合部が裏面に形成された模型飛行機の胴体と略同じ湾曲形状に形成されたホルダとから構成し、前記基台のガイド部に前記スタンドの台部を挿入取付け、該スタンドの係合部に前記ホルダの係合部を係合した状態において、該ホルダ上に模型飛行機の主翼位置の胴体部分を載置することで展示可能としたことを特徴とする。
【０００７】
請求項２の手段は、前記した請求項１において、前記スタンドの台部裏面は平坦面に形成され、かつ、アーム部の上端は台部から外れた位置となるように変形され、また、前記ホルダの裏面に形成されている係合部は長手方向の一端に形成され、前記スタンドの係合部とホルダの係合部との係合状態においてスタンドとホルダとが重なるようにすることで、ホルダ上に模型飛行機の主翼位置の胴体部分を載置することでスタンドのみで展示可能としたことを特徴とする。
【０００８】
請求項３の手段は、前記した請求項１において、前記基台には模型飛行機の電池に充電するための充電用電池が収納され、かつ、模型飛行機の電池に接続するための端子が設けられていることを特徴とする。
【発明の効果】
【０００９】
本発明は前記したように、基台に一端が着脱自在に取付けられたスタンドの上端に対して着脱自在にホルダを取付け、該ホルダに対して模型飛行機の胴体部を載置することで模型飛行機を展示、保管できるので、従来のような展示、保管するための面倒な作業が全く必要がないものである。
【００１０】
また、スタンドを基台から外した状態において、該スタンドの台部を卓上や棚等に載置し、このスタンドにホルダを前記したとは逆向きに取付けることでホルダの上面に模型飛行機を載置することができ前記した基台を介しての展示、保管並びに基台を取り除いた状態での模型飛行機の展示、保管ができる。
【００１１】
さらに、基台には、充電用電池が収納され、模型飛行機の電池に接続するための端子が設けられているため、模型飛行機を展示した状態において電池の充電を行うことができる等の効果を有するものである。
【発明を実施するための最良の形態】
【００１２】
本発明に係る模型飛行機用スタンドは、基台と、該基台に着脱自在に取付けられるスタンドと、該スタンドに着脱自在に取付けられるホルダとから構成し、該ホルダの上に模型飛行機を載置することで展示や保管が行える。
【実施例】
【００１３】
次に、本発明に係る模型飛行機用スタンドを図面に基づいて具体的に説明する。
ここで、図１は本発明に係る模型飛行機用スタンドで模型飛行機を支持した状態を示す斜視図、図２は本発明に係る模型飛行機用スタンドの分解斜視図、図３はスタンドとホルダとの係合状態を示す説明図、図４は基台を用いない場合の模型飛行機用スタンドで模型飛行機を支持した状態を示す斜視図、図５は基台を用いない場合のスタンドとホルダとの結合状態を示す説明図である。
【００１４】
図における符号１は本発明に係る模型飛行機用スタンドを示している。この模型飛行機用スタンド１は、合成樹脂等によって形成されるものであって、展示スペース等に載置される基台２と、該基台２から起立するスタンド３と、該スタンド３の上端に設けられると共に、模型飛行機Ｐが載置されるホルダ４とからなることを基本構成としている。
【００１５】
基台２は、ラジオコントロール飛行機等の模型飛行機Ｐを安定して支持できるように平面視矩形状をなし、上前にはスタンド３の台部３１に形成された鍔部３１a が挿入されるガイド部２１が形成されている。詳しくは、ガイド部２１に台部３１の鍔部３１a の形状に合致したスリット状の溝２１a が形成されていて、鍔部３１a をガイド部２１に挿入することができる。
【００１６】
また、図示しないが、基台２の内部には模型飛行機P を駆動するため電池を充電する充電用電池が収納されている。さらに、基台２の後方には模型飛行機Ｐの電池に接続するための端子部２２が設けられている。
【００１７】
スタンド３の下部には台部３１が形成され、その底面に基台２のガイド部２１に挿入される鍔部３１a が形成されると共に、後述するように、基台２を用いることなく模型飛行機を支持できるように裏面が平坦面に形成されている。また、台部３１の上面からアーム部３２が起立している。このアーム部３２は、その上端が台部３１から外れた位置（基台２への差し込み方向から外れた方向）に変形している。さらに、アーム部３２の上端には、ホルダ４の後述する係合部（凹部）４１と係合する係合部３３（凸部）が形成されている。
【００１８】
ホルダ４は模型飛行機の主翼位置にて胴体部分を支持できるように、胴体部分と略同じ湾曲形状をなすように形成されている。また、ホルダ４の裏面にはアーム部３２の上端に設けた係合部３３と係合する係合部４１が、長手方向の一端に形成されている。なお、アーム部３２の上端に設けた係合部３３はホルダ４に対して回転しないようにが楕円形状に形成され、係合部４１の形状も楕円形状となっている。
【００１９】
次に、本発明に係る模型飛行機用スタンドの使用例を説明する。
まず、基台２のガイド部２１にスタンド３の台部３１における鍔部３１a を挿入して基台２にスタンド３を取付ける。そして、スタンド３のアーム部３２の上端に形成した係合部３３とホルダ４の裏面に形成した係合部４１と係合させて、模型飛行機用スタンド１を組み立てる。なお、基台２を用いる場合には、スタンド３とホルダ４とが平面視において重ならないように係合させる。
【００２０】
そして、ホルダ４上に模型飛行機Ｐの主翼位置の胴体部分を載置して、模型飛行機を展示、保管する。これにより、従来のように、模型飛行機の胴体に支持部材を巻き付けることがないため、展示や保管される模型飛行機の外観が著しく損なわれることがない。また、模型飛行機Ｐを駆動するための電池を模型飛行機Ｐから取り外し、基台２に形成した端子２２に接続することにより、基台２内の充電用電池により充電が可能となる。このため、別途充電器が不要となる。
【００２１】
本発明に係る模型飛行機用スタンドは、基台２を省略して模型飛行機を展示することも可能である。この場合には、図５に示すように、スタンド３の係合部３３とホルダ４の係合部４１との係合状態を基台１を用いる場合とは逆向き、すなわち、平面視においてスタンド３とホルダ４との大部分が重なり、しかも、スタンド３とホルダ４とが略平行となるようにして係合する。そして、図４に示すように、ホルダ４上に模型飛行機Ｐの主翼位置の胴体部分を載置することで、模型飛行機Ｐの重量はスタンド３の台部３１の略中心位置に加わることで平均が取れて安定状態で展示・保管することができる。
【００２２】
なお、前記した実施例において、模型飛行機Ｐの大きさや胴体の形状に応じたホルダ４を用意し、また、模型飛行機Ｐの重量や搭載されている電池の容量に応じて基台２の大きさ（充電用電池の容量）を用意し、さらに、スタンド３の長さも異なるものを用意し、遊技者が使用する模型飛行機に応じて適宜選択して購入することで、最適な模型飛行機用スタンドを得ることができる。
【図面の簡単な説明】
【００２３】
【図１】本発明に係る模型飛行機用スタンドで模型飛行機を支持した状態を示す斜視図である。
【図２】本発明に係る模型飛行機用スタンドの分解斜視図である。
【図３】スタンドとホルダとの係合状態を示す説明図である。
【図４】基台を用いない場合の模型飛行機用スタンドで模型飛行機を支持した状態を示す斜視図である。
【図５】基台を用いない場合のスタンドとホルダとの結合状態を示す説明図である。
【符号の説明】
【００２４】
１    模型飛行機用スタンド
２    基台
２１  ガイド部
２２  端子部
３    スタンド
３１  台部
３２  アーム部
３３  係合部
４    ホルダ
４１  係合部
【図１】
2008183080.tif 000003
【図２】
2008183080.tif 000004
【図３】
2008183080.tif 000005
【図４】
2008183080.tif 000006
【図５】
2008183080.tif 000007